(57)【要約】【課題】少なくとも一対のカセットブロックを備えていても配置の自由度を向上できる電気接続箱を提供する。【解決手段】電気接続箱１は箱本体２とカセットブロックとしてのヒューズブロック３とカセットブロックとしてのマルチヒューズブロック４とバスバを備えている。箱本体２にはヒューズブロック３，４を収容する取り付け孔８とリブ１１が設けられている。リブ１１は両端が取り付け孔８の内壁面８ａに連なっている。リブ１１はヒューズブロック３，４間に位置する。ヒューズブロック３，４は長辺部３ａ，４ａが同士が重ねられている。バスバはヒューズブロック３の一つのヒューズ１３の一方の端子とマルチヒューズブロック４の一つのヒューズの一方の端子とを接続している。【選択図】図１
2006320147.tif 000002
【特許請求の範囲】
【請求項１】
一方向の幅が該一方向と直交する他方向の幅より長く平面形状が形成され、かつ電気部品が複数設けられるカセットブロックを一対備えているとともに、それぞれのカセットブロックが、複数の電気部品の一つの端子同士を電気的に接続した電気接続箱において、
前記一対のカセットブロックの長辺部同士を重ねて、長手方向同士を互いに平行に前記一対のカセットブロックを配置し、かつ、
前記一対のカセットブロックのうち一方のカセットブロックの一つの電気部品の一つの端子と、他方のカセットブロックの一つの電気部品の一つの端子と、を接続するバスバを備えているとともに、
前記バスバを前記一対のカセットブロックの外側面に沿わせて配置したことを特徴とする電気接続箱。
【請求項２】
前記一対のカセットブロックを収容する取り付け孔を設けた箱本体を備えているとともに、
該箱本体が、両端が前記取り付け孔の互いに相対する内壁面に連なるとともに、前記箱本体に取り付けられた一対のカセットブロック間に配置されるリブを備えたことを特徴とする請求項１記載の電気接続箱。
【請求項３】
前記一対のカセットブロックに取り付けられるワイヤハーネス同士を互いに電気的に絶縁する絶縁リブを、前記一対のカセットブロックのうちの一方に設けたことを特徴とする請求項１又は請求項２記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するめに、前記自動車は、電源分配箱としてのジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱と呼ぶ。
【０００５】
電気接続箱は、外殻を形成する箱本体と、一対のカセットブロックとしてのヒューズブロックと、配線盤とを備えている。箱本体は、一対のヒューズブロックを収容する。ヒューズブロックは、ブロック本体と、該ブロック本体に装着される複数の電気部品としてのヒューズとを備えている。
【０００６】
ブロック本体は、例えば、平面形状が矩形状等の一方向の幅が該一方向と直交する他方向の幅より長い形状に形成されている。ブロック本体の上面には、ヒューズを装着する装着部が複数設けられている。ブロック本体の下面には、ワイヤハーネスのコネクタが嵌合するコネクタが設けられている。複数のヒューズは、ブロック本体の長手方向に沿って並設された状態で、前述したブロック本体に装着される。ヒューズブロックは、箱本体に取り付けられる。
【０００７】
ワイヤハーネスは、複数の電線と、該電線の端部などに取り付けられたコネクタとを備えている。コネクタは、前述した自動車に搭載される各種の電子機器やバッテリなどの電源や前述したヒューズブロックのブロック本体に設けられたコネクタなどに嵌合する。
【０００８】
配線盤は、前述したヒューズブロックのブロック本体内に収容されて、ヒューズブロックに装着される複数のヒューズの一方の端子同士を接続するとともに、コネクタの端子とヒューズの端子とを予め定められたパターンにしたがって接続するバスバなどを備えている。
【０００９】
前述した電気接続箱は、ヒューズブロック同士のヒューズの前述した一方の端子を接続するために、長手方向が同一線上に位置するように一対のヒューズブロックを配置して、該一方の端子同士を接続していた。
【００１０】
前述した電気接続箱は、以下のように組み立てられる。まず、ブロック本体内に配線盤を収容し、該ブロック本体に所望のヒューズを装着する。さらに、ブロック本体則ちヒューズブロック同士を前述したように接続して、これらのヒューズブロックを箱本体に取り付ける。そして、ヒューズブロックのブロック本体にワイヤハーネスのコネクタを嵌合させる。こうして、前述した電気接続箱が組み立てられる。そして、電気接続箱は、電源などから供給される電力を、ヒューズやワイヤハーネスの電線などを介して、自動車に搭載される前述した各種の電子機器に供給する。
【発明の開示】
【発明が解決しようとする課題】
【００１１】
前述した電気接続箱は、長手方向が同一線上に位置するように（則ち直線状に）ヒューズブロック同士を接続する。このため、互いに接続された一対のヒューズブロックの長さが長くなって、該一対のヒューズブロックを配置できるスペースが限られてしまう傾向であった。則ち、電気接続箱を配置するために自動車の他の機器の配置に影響を与えてしまうか、電気接続箱の配置できる位置が限られてしまう傾向であった（則ち、電気接続箱の配置の自由度が低くなる傾向であった）。
【００１２】
したがって、本発明の目的は、少なくとも一対のカセットブロックを備えていても配置の自由度を向上できる電気接続箱を提供することにある。
【課題を解決するための手段】
【００１３】
前記課題を解決し目的を達成するために、請求項１に記載の本発明の電気接続箱は、一方向の幅が該一方向と直交する他方向の幅より長く平面形状が形成され、かつ電気部品が複数設けられるカセットブロックを一対備えているとともに、それぞれのカセットブロックが、複数の電気部品の一つの端子同士を電気的に接続した電気接続箱において、前記一対のカセットブロックの長辺部同士を重ねて、長手方向同士を互いに平行に前記一対のカセットブロックを配置し、かつ、前記一対のカセットブロックのうち一方のカセットブロックの一つの電気部品の一つの端子と、他方のカセットブロックの一つの電気部品の一つの端子と、を接続するバスバを備えているとともに、前記バスバを前記一対のカセットブロックの外側面に沿わせて配置したことを特徴としている。
【００１４】
請求項２に記載の本発明の電気接続箱は、請求項１に記載の電気接続箱において、前記一対のカセットブロックを収容する取り付け孔を設けた箱本体を備えているとともに、該箱本体が、両端が前記取り付け孔の互いに相対する内壁面に連なるとともに、前記箱本体に取り付けられた一対のカセットブロック間に配置されるリブを備えたことを特徴としている。
【００１５】
請求項３に記載の本発明の電気接続箱は、請求項１又は請求項２に記載の電気接続箱において、前記一対のカセットブロックに取り付けられるワイヤハーネス同士を互いに電気的に絶縁する絶縁リブを、前記一対のカセットブロックのうちの一方に設けたことを特徴としている。
【００１６】
請求項１に記載した本発明の電気接続箱によれば、カセットブロックの長辺部同士を重ねるので、互いに取り付けられたカセットブロックの長手方向の長さが必要以上に長くなることを防止できる。
【００１７】
請求項２に記載した本発明の電気接続箱によれば、取り付け孔の互いに相対する内壁面同士に掛け渡されたリブが設けられているので、箱本体の剛性が低下することを防止できる。
【００１８】
また、リブが一対のカセットブロック間に配置されるので、リブがカセットブロックの装着を妨げることがない。
【００１９】
請求項３に記載した本発明の電気接続箱によれば、絶縁リブを設けているので、ワイヤハーネス同士が電気的に短絡することを防止できる。
【発明の効果】
【００２０】
以上説明したように請求項１に記載の本発明は、互いに取り付けられたカセットブロックの長手方向の長さが必要以上に長くなることを防止できるので、該一対のカセットブロックを配置できるスペースが限られてしまうことを防止できる。則ち、電気接続箱を配置するために自動車の他の機器の配置に影響を与えてしまうことを防止できるとともに、電気接続箱の配置できる位置が限られてしまうことを防止できる。したがって、電気接続箱の配置の自由度を向上できる。
【００２１】
さらに、バスバを、カセットブロックの外側面に沿わしたので、バスバのカセットブロック外に露出する面積が大きくなる。このため、バスバを介して、電気部品を流れる電力によって生じる熱を放熱することができる。したがって、電気接続箱の温度が過度に上昇することを防止できる。
【００２２】
請求項２に記載の本発明は、箱本体の剛性が低下することを防止できるので、該箱本体が歪むことを防止できる。また、リブが一対のカセットブロック間に配置されるので、リブがカセットブロックの装着を妨げることがない。したがって、電気接続箱の配置の自由度を向上できることにくわえ、箱本体に容易で確実にカセットブロックを取り付けることができる。
【００２３】
請求項３に記載の本発明は、ワイヤハーネス同士が電気的に短絡することを防止できるので、ワイヤハーネスと箱本体に取り付けられる各種の電気部品とを確実に所望のパターンに接続できる。
【発明を実施するための最良の形態】
【００２４】
以下、本発明の一実施形態にかかる電気接続箱を、図１ないし図７に基づいて説明する。
【００２５】
本実施形態にかかる図１に示す電気接続箱１は、移動体としての自動車に搭載される。電気接続箱１は、図１ないし図４に示すように、箱本体２と、カセットブロックとしてのヒューズブロック３と、カセットブロックとしてのマルチヒューズブロック４と、図示しない配線盤と、バスバ５（図２及び図４に示す）と、を備えている。
【００２６】
箱本体２は、絶縁性の合成樹脂からなり、周知の射出成形により成形される。箱本体２は、複数の外壁６により、筒状（箱状）に形成されている。
【００２７】
また、箱本体２の図１の上方に位置する上面２ａには、リレー７などの電気部品が複数装着される。
【００２８】
また、箱本体２の図１の下方に位置する底面には、前述した自動車に配索される図示しないワイヤハーネスのコネクタが嵌合する。ワイヤハーネスは、複数の電線と、該電線の端末などに取り付けられたコネクタと、図示しない電子機器接続用のコネクタを備えている。コネクタは、前述した箱本体２の底面に嵌合する。なお、本発明では、箱本体２の上面２ａ側を上方と呼び、箱本体２の底面側を下方と呼ぶ。電子機器接続用のコネクタは、前述した自動車に搭載される各種の電子機器のコネクタと嵌合する。
【００２９】
さらに、箱本体２には、取り付け孔８が設けられている。取り付け孔８は、箱本体２の長手方向の一端部に設けられている。取り付け孔８は、箱本体２を構成する複数の外壁６などによって囲まれた空間である。取り付け孔８の図１、図３及び図４中の上下に位置する両端は、開口している。このため、箱本体２は、筒状（枠状）に形成されている。また、箱本体２の取り付け孔８の内壁面８ａには、ヒューズブロック３，４の後述する係止部１０，１８が係止する係止受け部９が複数設けられている。
【００３０】
また、取り付け孔８内には、リブ１１が設けられている。リブ１１は、直線状に延びた棒状に形成されており、両端が取り付け孔８の互いに相対する内壁面８ａに連なっている。リブ１１の長手方向は、箱本体２の長手方向と平行である。リブ１１は、取り付け孔８の内壁面８ａの上面２ａ寄りの縁部に設けられている。リブ１１は、一対のヒューズブロック３，４が箱本体２に取り付けられると、これら一対のヒューズブロック３，４間に位置する。このことを、本明細書では、リブ１１が、一対のヒューズブロック３，４間に対応する位置に配されているという。こうして、リブ１１は、取り付け孔８の内壁面８ａ間に掛け渡されている。
【００３１】
ヒューズブロック３は、図１に示すように、箱状のブロック本体１２と、複数の電気部品としてのヒューズ１３とを備えている。ブロック本体１２は、絶縁性の合成樹脂からなり、周知の射出成形により成形される。ブロック本体１２は、平面形状が五角形状に形成される。ブロック本体１２の平面形状は、一方向の幅が該一方向と直交する他方向の幅より長く形成されている。
【００３２】
ブロック本体１２は、リブ１１によって仕切られる取り付け孔８の二つの空間のうち一方に収容される。ブロック本体１２は、前述した空間に収容されると、その長手方向が箱本体２の長手方向と平行になる。ヒューズブロック３のブロック本体１２の外壁には、係止受け部９に係止する係止部１０が設けられている。ブロック本体１２則ちヒューズブロック３は、取り付け孔８内に収容されて、係止部１０が係止受け部９に係止して、箱本体２に取り付けられる。ブロック本体１２の図１中の下面には、ワイヤハーネス１４のコネクタ１５が嵌合する。
【００３３】
ワイヤハーネス１４は、複数の電線１６と、該電線１６の端末などに取り付けられたコネクタ１５と、図示しない電子機器接続用のコネクタを備えている。コネクタ１５は、前述したブロック本体１２の下面に嵌合する。電子機器接続用のコネクタは、前述した自動車に搭載される各種の電子機器のコネクタと嵌合する。
【００３４】
さらに、ヒューズブロック３のブロック本体１２の外壁には、図示しない複数のヒューズ１３のうち一つのヒューズ１３の一方（一つ）の端子と接続したナットが埋設されている。また、ヒューズブロック３のブロック本体１２には、絶縁リブ１７（図１、図３及び図４に示す）が一体に設けられている。
【００３５】
絶縁リブ１７は、ヒューズブロック３のブロック本体１２のマルチヒューズブロック４のブロック本体２１寄りの縁に設けられている。絶縁リブ１７は、平板状に形成されているとともに、ヒューズブロック３のブロック本体１２のワイヤハーネス１４のコネクタが嵌合１５する下面からヒューズブロック３のブロック本体１２の外方向則ち図１中の下方に向かって突出している。絶縁リブ１７は、ヒューズブロック３に取り付けられるワイヤハーネス１４と、マルチヒューズブロック４に取り付けられるワイヤハーネス１４及びＬＡ端子２５付きの電線２４との間に位置して、これらを電気的に絶縁する。
【００３６】
ヒューズ１３は、ブロック本体１２に取り付けられて、ヒューズブロック３に設けられる。
【００３７】
マルチヒューズブロック４は、箱状のブロック本体２１と、複数の図示しない電気部品としてのヒューズとを備えている。ブロック本体２１は、絶縁性の合成樹脂からなり、周知の射出成形により成形される。ブロック本体２１は、平面形状が矩形状に形成される。ブロック本体２１の平面形状は、一方向の幅が該一方向と直交する他方向の幅より長く形成されている。
【００３８】
ブロック本体２１は、リブ１１によって仕切られる取り付け孔８の二つの空間のうち他方に収容される。ブロック本体２１は、前述した空間に収容されると、その長手方向が箱本体２の長手方向と平行になる。マルチヒューズブロック４のブロック本体２１の外壁には、係止受け部９に係止する係止部１８が設けられている。
【００３９】
ブロック本体２１則ちマルチヒューズブロック４は、取り付け孔８内に収容されて、係止部１８が係止受け部９に係止して、箱本体２に取り付けられる。ブロック本体２１の図１中の下面には、ワイヤハーネス１４のコネクタ１５が嵌合する。なお、このワイヤハーネス１４の構成は、前述したワイヤハーネス１４の構成と略等しいので、同一符号を付して説明を省略する。
【００４０】
さらに、マルチヒューズブロック４のブロック本体２１の長手方向の両端それぞれに位置する外壁には、図示しない複数のヒューズのうち一つのヒューズの一方（一つ）の端子と接続したナットが埋設されている。
【００４１】
ヒューズは、ブロック本体２１に収容されて、マルチヒューズブロック４に設けられる。
【００４２】
また、ヒューズブロック３とマルチヒューズブロック４は、それぞれの長手方向が箱本体２の長手方向と平行な状態で該箱本体２に収容される、このため、ヒューズブロック３とマルチヒューズブロック４は、互いに、平行に配される。則ち、ヒューズブロック３とマルチヒューズブロック４は、長辺部３ａ，４ａが互いに重ねられて配置される。これら互いに重なる長辺部３ａ，４ａには、互いに係止する係止部１９と係止受け部２０とが設けられている。図示例では、ヒューズブロック３に係止受け部１９が設けられ、マルチヒューズブロック４に係止部２０が設けられている。
【００４３】
配線盤は、箱本体２と、ヒューズブロック３のブロック本体１２と、マルチヒューズブロック４のブロック本体２１とのそれぞれに収容されている。配線盤は、それぞれ、導電性のバスバと、絶縁板などを備えている。バスバは、導電性の板金に打ち抜き加工などのプレス加工が施されて得られる。バスバは、複数設けられている。複数のバスバは、互いに重ねられている。絶縁板は、互いに重ねられたバスバ間などに配され、バスバ同士が意図しない箇所に相互に電気的に接続すること即ち短絡することを防止するとともに、バスバを位置決めしている。
【００４４】
箱本体２内に収容される配線盤は、バスバがワイヤハーネスの電線と、上面２ａに装着されたリレー７などの電気部品とを予め定められたパターンにしたがって、互いに電気的に接続する。
【００４５】
ヒューズブロック３のブロック本体１２に収容される配線盤は、バスバがワイヤハーネス１４の電線１６とヒューズ１３とを、予め定められたパターンにしたがって互いに電気的に接続する。さらに、ヒューズブロック３のブロック本体１２に収容される配線盤は、バスバがヒューズブロック３のブロック本体１２に装着される全てのヒューズ１３の一方（一つ）の端子同士を電気的に接続している。また、ヒューズブロック３のブロック本体１２に収容される配線盤の全てのヒューズ１３の一方（一つ）の端子同士を電気的に接続するバスバの一部は、前述したブロック本体１２に埋設されるナットに重ねられているとともに、ブロック本体１２の外表面に露出している。さらに、露出したバスバの一部には、前述したナットのねじ孔と連通する孔が設けられている。
【００４６】
マルチヒューズブロック４のブロック本体２１に収容される配線盤は、バスバがワイヤハーネス１４の電線１６とブロック本体２１内に収容されたヒューズとを、予め定められたパターンにしたがって互いに電気的に接続する。さらに、マルチヒューズブロック４のブロック本体２１に収容される配線盤は、バスバがマルチヒューズブロック４のブロック本体２１内に収容される全てのヒューズの一方（一つ）の端子同士を電気的に接続している。
【００４７】
また、マルチヒューズブロック４のブロック本体２１に収容される配線盤の全てのヒューズの一方（一つ）の端子同士を電気的に接続するバスバの一部２２ａ（図４に示す）は、前述したブロック本体２１に埋設される一方のナットに重ねられているとともに、ブロック本体２１の外表面に露出している。また、配線盤のバスバの他の一部２１ｂ（図４に示す）は、前述したブロック本体２１に埋設される他方のナットに重ねられているとともに、ブロック本体２１の外表面に露出している。さらに、露出したバスバの一部２２ａと他の一部２２ｂには、前述したナットのねじ孔と連通する孔２３ａ，２３ｂが設けられている。
【００４８】
前述したバスバの一部２２ａと他の一部２２ｂとのうち図４中手前側に位置する他の一部２２ｂには、バッテリなど電源と接続した電線２４の端末に取り付けられた端子金具としてのＬＡ端子２５が取り付けられる。電線２４は、勿論、導電性の芯線と、該芯線を被覆する絶縁性の被覆部とを備えた所謂被覆電線である。
【００４９】
ＬＡ端子２５は、厚手の板金で構成され、加締めるなどして前述した電線２４の端末に取り付けられる電線接続部２６と、平板状でかつボルト通し孔２７ａが設けられた電気接触部２７とを一体に備えている。電気接触部２７は、前述したバスバに重ねられて、ボルト２８がボルト通し孔２７ａと孔２３ｂとを通ってナットに螺合することで、マルチヒューズブロック４に取り付けられる。前述したＬＡ端子２５が取り付けられた電線２４は、マルチヒューズブロック４の各ヒューズに前述した電源からの電力を供給する。前述したＬＡ端子２５と、該ＬＡ端子２５が取り付けられた電線２４は、本明細書に記したワイヤハーネスを構成している。
【００５０】
バスバ５は、厚手の導電性の板金で構成されている。バスバ５は、マルチヒューズブロック４の図４中奥側に位置するバスバの一部２２ａからヒューズブロック３の前述した外表面に露出したバスバの一部に至るヒューズブロック３，４の外形に沿って曲げられている。バスバ５の両端には、前述したバスバの一部２２ａの孔２３ａと連通する孔２９が設けられている。バスバ５は、長手方向の両端が前述したバスバの一部２２ａに重ねられて、孔２９を通ったボルト３０がナットに螺合することで、ヒューズブロック３，４に取り付けられる。このように、バスバ５は、一対のヒューズブロック３，４のうち一方のヒューズブロック３の一つのヒューズ１３の一つの端子と、他方のマルチヒューズブロック４の一つのヒューズの一つの端子とを接続する。
【００５１】
すると、バスバ５は、前述したマルチヒューズブロック４の図４中奥側に位置するバスバの一部２２ａからヒューズブロック３の前述した外表面に露出したバスバの一部に至るヒューズブロック３，４の外形に沿って曲げられているので、これらヒューズブロック３，４の外側面に沿った状態で配置される（沿わされて配置される）。
【００５２】
前述した電気接続箱１は、以下のように組み立てられる。まず、箱本体２内に配線盤を収容し、ヒューズブロック３のブロック本体１２内に配線盤を収容する。そして、図５に示すように、ヒューズブロック３の係止受け部２０とマルチヒューズブロック４の係止部１９とを互いに係止して、長辺部３ａ，４ａが互いに重なった状態でヒューズブロック３，４同士を固定する。そして、図６に示すように、バスバ５の両端を前述したバスバの一部２２ａに重ねて、ボルト２９を孔２３ｂ，２９内を通してナットにねじ込む。そして、バスバ５を、ヒューズブロック３，４に取り付けて、該ヒューズブロック３，４に外側面に沿わせて配置する。
【００５３】
そして、互いに取り付けられたヒューズブロック３，４を底面側から取り付け孔８内に挿入する。図７に示すように、箱本体２の係止受け部９にヒューズブロック３，４の係止部１８，１９を係止させて、箱本体２にヒューズブロック３，４を取り付ける。そして、ヒューズブロック３に所望のヒューズ１３を取り付け、箱本体２にリレー７などを取り付ける。さらに、電線２４の端末に取り付けられたＬＡ端子２５を前述したバスバの他の一部２２ｂに取り付け、ワイヤハーネス１４のコネクタ１５をヒューズブロック３，４のブロック本体１２，２１と箱本体２の底面に取り付ける。
【００５４】
そして、電気接続箱１は、前述した電線２４から供給される電線からの電力をヒューズ１３などを介して、各電子機器に供給する。
【００５５】
本実施形態によれば、カセットブロックとしてのヒューズブロック３とマルチヒューズブロック４の長辺部３ａ，４ａ同士を重ねるので、互いに取り付けられたヒューズブロック３，４の長手方向の長さが必要以上に長くなることを防止できる。これにより、一対のヒューズブロック３，４を配置できるスペースが限られてしまうことを防止できる。則ち、電気接続箱１を配置するために自動車の他の機器の配置に影響を与えてしまうことを防止できるとともに、電気接続箱１の配置できる位置が限られてしまうことを防止できる。したがって、電気接続箱１の配置の自由度を向上できる。
【００５６】
さらに、バスバ５を、ヒューズブロック３，４の外側面に沿わしたので、バスバ５のヒューズブロック３，４外に露出する面積が大きくなる。このため、バスバ５を介して、ヒュズ１３などを流れる電力によって生じる熱を放熱することができる。したがって、電気接続箱１の温度が過度に上昇することを防止できる。
【００５７】
取り付け孔８の互いに相対する内壁面８ａ同士に掛け渡されたリブ１１が設けられているので、箱本体２の剛性が低下することを防止できる。したがって、該箱本体２が歪むことを防止できる。
【００５８】
また、リブ１１が一対のヒューズブロック３，４間に配置されるので、リブ１１がヒューズブロック３，４の装着を妨げることがない。したがって、電気接続箱１の配置の自由度を向上できることにくわえ、箱本体２に容易で確実にヒューズブロック３，４を取り付けることができる。
【００５９】
さらに、ヒューズブロック３に絶縁リブ１７を設けているので、ワイヤハーネス１４及びＬＡ端子２５付きの電線２４同士が電気的に短絡することを防止できる。したがって、ワイヤハーネス１４及びＬＡ端子２５付きの電線２４とヒューズ１３などの各種の電気部品とを確実に所望のパターンに接続できる。
【００６０】
なお、前述した実施形態は本発明の代表的な形態を示したに過ぎず、本発明は、実施形態に限定されるものではない。即ち、本発明の骨子を逸脱しない範囲で種々変形して実施することができる。
【００６１】
則ち、前述した実施形態では、絶縁リブ１７をヒューズブロック３のブロック本体１２に設けている。しかしながら、本発明では、絶縁リブ１７をマルチヒューズブロック４のブロック本体２１に設けても良い。
【００６２】
また、前述した実施形態では、カセットブロックとして、ヒューズ１３を設けるヒューズブロック３，４を用いている。しかしながら、本発明では、カセットブロックにヒューズ１３の他にリレーやヒュージブルリンクなどの他の電気部品を設けても良い。
【図面の簡単な説明】
【００６３】
【図１】本発明の一実施形態に係る電気接続箱の要部を示す斜視図である。
【図２】図１に示された電気接続箱の平面図である。
【図３】図２中のＩＩＩ−ＩＩＩ線に沿う断面図である。
【図４】図１に示された電気接続箱の要部の分解斜視図である。
【図５】図４に示された電気接続箱のヒューズブロック同士を組み付けた状態を示す斜視図である。
【図６】図５に示された互いに組み付けられたヒューズブロックにバスバを取り付けた状態を示す斜視図である。
【図７】図６に示された互いに組み付けられたヒューズブロックを箱本体に取り付けた状態を示す斜視図である。
【符号の説明】
【００６４】
１    電気接続箱
２    箱本体
３    ヒューズブロック（カセットブロック）
３ａ  長辺部
４    マルチヒューズブロック（カセットブロック）
４ａ  長辺部
５    バスバ
８    取り付け孔
８ａ  内壁面
１１  リブ
１３  ヒューズ（電気部品）
１４  ワイヤハーネス
１７  絶縁リブ
２４  電線（ワイヤハーネス）
２５  ＬＡ端子（ワイヤハーネス）
【図１】
2006320147.tif 000003
【図２】
2006320147.tif 000004
【図３】
2006320147.tif 000005
【図４】
2006320147.tif 000006
【図５】
2006320147.tif 000007
【図６】
2006320147.tif 000008
【図７】
2006320147.tif 000009